(57)【要約】【課題】巻き取り式風呂蓋において、半身浴時の湯温低下を抑制し、読書や飲食をする時の本や飲食物の一時置き場を確保するとともに、交換可能にして清掃及び天日干しが容易とするテーブル付き巻き取り式風呂蓋シートを提供する。【解決手段】浴槽Ａの一端から他端に向かって保温シート６を引き出して浴槽Ａを閉蓋したり、浴槽Ａの前記一端に設けた巻き取り棒２に巻き取って浴槽Ａを開蓋する巻き取り式風呂蓋の可塑性保温シートで、前記保温シート６の一端を巻き取り棒２に取り外し可能に巻きつけるとともに、他端にテーブル部を取り外し可能に設けて前記テーブル部９を浴槽Ａの中間位置で停止自在とする。【選択図】    図１
2007215815.tif 000002
【特許請求の範囲】
【請求項１】
浴槽の一端に設けた巻き取り棒に取り外し可能に巻きつけた保温シートを他端に向かって引き出して浴槽を閉蓋したり、前記巻き取り棒に巻き取って浴槽を開蓋する巻き取り式風呂蓋の可塑性保温シートであって、前記保温シートの他端にテーブル部を取り外し可能に設けるとともに前記テーブル部を浴槽の中間位置で停止させる巻き取り阻止部材を備えたことを特徴とするテーブル付き巻き取り式浴槽保温シート。
【請求項２】
前記テーブル部はテーブル本体と前記テーブル本体に隣接した引き出し棒を有し、前記テーブル本体を巻き取り可能にしたことを特徴とする請求項１記載のテーブル付き巻き取り式浴槽保温シート。
【請求項３】
前記巻き取り阻止部材は引き出し棒の長手方向にスライド可能な固定具で構成したことを特徴とする請求項２記載のテーブル付き巻き取り式浴槽保温シート。
【請求項４】
前記巻き取り阻止部材の固定具は前記スライド可能な吸盤で構成したことを特徴とする請求項３記載のテーブル付き巻き取り式浴槽保温シート。
【発明の詳細な説明】
【技術分野】
【０００１】
本発明は浴室内における半身浴時の利便性の向上と保温効果を高め、且つ風呂蓋の開閉を簡易化した風呂蓋に関するものである。
【背景技術】
【０００２】
従来の巻き取り式風呂蓋は風呂蓋の開閉の手間と入浴中の風呂蓋の置き場所の最小化を図るのに本体に断熱シート蓋を巻いたロールをはめこみ、端にゼンマイを組み込み、蓋を巻き取り式にし、さらに、蓋を広げた場合にゼンマイによる巻き込みを防ぐため、ロール押さえとスプリングを取り付け、また、浴槽に固定させるため、本体の底面と断熱シート引き出し取っ手をつけた板体の下面に吸盤を固定設置している巻き取り式風呂蓋がある。（特許文献１参照）
【０００３】
また、浴槽用蓋装置で耐熱性を有する極薄の可塑性シートに幅方向に渡って極細の骨材を全体に等間隔に取り付け幅方向の中央部がたるまないようにし、浴槽全上面の被装に関して蓋体の他端に設けた係合用の孔と浴槽端部に固着する鈎とをもって設置したものがある。（特許文献２参照）
【０００４】
また、巻き取りケースの中に巻き取り棒を設け、スプリングにて巻き取り棒を回転させてロールフタを巻き取り、収納する構造であり、巻き取りケースを風呂の浴槽上部の縁にはめ込んで置き、ロールフタの止め具を引っ張り、受け具に引っ掛けてフタをする風呂のフタがある。（特許文献３参照）
【０００５】
また、浴槽一端部上位置の壁面等を利用して巻き取り部を設け、ふた使用時には巻き取り部からふた体を引き出して浴槽全上面を覆い、入浴時には嵩張らないように巻き取ることができ、このふた体は巻き取り軸部から取り外し可能に構成したもので、汚れ易いふた体を洗ったり交換したりすることを容易とする風呂ふたがある。（特許文献４参照）
【０００６】
また、家庭用浴槽を用いてサウナと同様な効果が得られるようにした浴槽カバーで使用者の頭部を露出させるための孔又は凹所より成る開口部を設け、浴槽の上面の少なくとも一端から一部の範囲を覆う浴槽カバーがある。(特許文献５参照)
【特許文献１】特開平１０−２８６５４号公報
【特許文献２】実公平４−２７４３３号公報
【特許文献３】実開平５−２０６９１号公報
【特許文献４】実公平３−２５６６２号公報
【特許文献５】特開平１０−２１６０３６号公報
【発明の開示】
【発明が解決しようとする課題】
【０００７】
特許文献１乃至３記載の巻取り式風呂蓋にあっては風呂蓋の開閉が楽であり、また本体がコンパクトで、浴槽上縁に取り付けて使用するので収納場所を取らないが、断熱シート蓋であるため半身浴時のリラックスタイムに読書や飲食をする際、本や飲食物を置くことができないという不都合さがある。
【０００８】
また、特許文献１と特許文献３は何れもロール押さえやストッパーによる途中停止はできるが固定できず、半身浴時には低い湯温で長時間くつろいでいるため湯温の低下が著しく入浴中であっても風呂蓋を開閉途中に固定停止させ湯温の低下を抑えたいが可塑性シートであるため、中たるみがおこり保温力に劣るという不都合さがある。
【０００９】
また、特許文献２の第３図と特許文献４の第１図において、浴槽用蓋（または風呂ふた）の開閉途中が示されているが、何れも巻き取り式風呂蓋では受け具等により浴槽全上面の被装はできるが、風呂蓋を開閉途中に固定停止ができず、半身浴時の湯温低下の抑制をしたり半身浴時のリラックスタイムに読書や飲食をする際、本や飲食物を置く配慮がされていない。
【００１０】
しかも、特許文献１乃至３は何れも巻き取り式風呂蓋の断熱シート蓋や浴槽用蓋装置の可塑性シートやロールフタのみを交換可能にすることができず、清掃したり天日干ししたるすることができず、収納ケース内には水滴や湿気によりカビが生えやすく清掃に不便で不衛生である。
【００１１】
また、特許文献５は一般家庭の浴槽でのサウナ効果を高めるカバーであるので、蓋としての機能は無く、取り付け取り外しの猥雑さがあり、未使用時の置き場所もとる為、邪魔である。
【００１２】
本願発明は上記問題点を解消し半身浴時の湯温低下を抑制するとともに読書や飲食をする際に、本や飲食物の一時置き場を確保するとともに、交換可能にして清掃及び天日干しを容易とし、簡易開閉で省スペース収納とするテーブル付き巻き取り式風呂蓋を提供することを目的とする。
【課題を解決するための手段】
【００１３】
浴槽の一端に設けた巻き取り棒に取り外し可能に巻きつけた保温シートを他端に向かって引き出して浴槽を閉蓋したり、前記巻き取り棒に巻き取って浴槽を開蓋する巻き取り式風呂蓋の可塑性保温シートであって、前記保温シートの他端にテーブル部を取り外し可能に設けるとともに前記テーブル部を浴槽の中間位置で停止させる巻き取り阻止部材を備えたことにより入浴中での読書や飲食時の本や飲食物の一時置き場を確保できるとともに交換可能にして清掃及び天日干しが容易とすることを特徴とする。
【００１４】
前記テーブル部はテーブル本体と前記テーブル本体に隣接した引き出し棒を有し、前記テーブル本体を巻き取り可能にするよう付加したことを特徴とする。
【００１５】
前記巻き取り阻止部材は引き出し棒の長手方向にスライド可能な固定具で構成し、さらには、前記巻き取り阻止部材の固定具は前記スライド可能な吸盤で構成して、半身浴時には浴槽開口部を任意の位置で確実に係止させることが可能となるよう付加したことを特徴とする。
【発明の効果】
【００１６】
浴槽の一端から他端に向かって保温シートを引き出して浴槽を閉蓋したり、浴槽の前記一端に設けた巻き取り棒に巻き取って浴槽を開蓋する巻き取り式風呂蓋の可塑性保温シートで、前記保温シートの一端を巻き取り棒に取り外し可能に巻きつけるとともに、他端にテーブル部を取り外し可能に設けて前記テーブル部を浴槽の中間位置で停止自在とするものであるので、美容、体質改善、血行促進、浴室テレビの普及に伴い半身浴を楽しむ人が多くなった昨今、リラックスタイムの有効利用として、浴室での飲食、読書をするのに本や飲食物の置き場所が確保できる。さらに、長時間の入浴タイムによる湯温低下を引き出し棒に取り付けられたスライド式吸盤を浴槽壁面に吸着させることにより、浴槽開口部を保温シートで任意の位置まで覆い固定することによりそれを抑制し、また、保温シートの中たるみ防止とすることができる。
【発明を実施するための最良の形態】
【００１７】
以下、本発明の実施例を図面にもとづいて説明する。
【００１８】
図１乃至図３において、浴槽Ａの一端には支持具を介して巻き取り棒２が設置吸盤５にて取り付けられている。前記巻き取り棒２には複数個の鈎８が設けられている。テーブル式巻き取り式風呂蓋シートの保温シート６にはハトメ８ａが設けられている。前記保温シート６の一端において、巻き取り棒２の鈎８と前記保温シート６のハトメ８ａとを嵌合させて、保温シート６が巻き取り棒２に着脱可能に固定されている。この場合、巻き取り棒２の鈎８とハトメ８ａとは接合させる作用のある面ファスナー、鉤ホック、ドットボタン、スナップボタンや磁石などに置き換えてもよい。また、前記保温シート６の他端にはハトメ１１aが設けられている。
【００１９】
テーブル部９はテーブル本体９ａと前記テーブル本体９ａの一端に隣接した引き出し棒９ｂとを有し、前記テーブル本体９ａの他端には鈎１１を設けてある。前記保温シート６の他端において前記鈎１１と前記保温シート６のハトメ１１ａとを嵌合させて、保温シート６がテーブル部９に着脱可能に固定されている。この場合、テーブル部９の鈎１１とハトメ１１ａとは接合させる作用のある面ファスナー、鉤ホック、ドットボタン、スナップボタンや磁石などに置き換えてもよい。
【００２０】
また、図５においては、前記保温シート６の他端においてテーブル部９の鈎１１と前記保温シート６のハトメ１１ａとを嵌合させる構造であるが、保温シート６を引き出し棒９ｂの位置へテーブル部の上面または下面に延長させてもよい。
【００２１】
テーブル本体９ａとなる板体の底面には引き出し棒９ｂと平行して複数本の切れ込み９ｄを形成して巻き取りやすくする。
【００２２】
引き出し棒９ｂには中空で軸方向に穿ったスライド溝９ｃが設けられてあって、端部にスライド溝蓋１０が設けられている。前記引き出し棒９ｂのスライド溝９ｃに矢印方向にスライド可能なストリング３を備えた吸盤４が取り付けられており、前記吸盤４は巻き取り阻止部材を構成している。吸盤４を浴槽Ａや壁Ｃに設置吸着することにより、保温シート６の巻き取りを阻止して前記テーブル部を浴槽の中間位置で停止させる。
【００２３】
図３に示す如くテーブル付き巻き取り式風呂蓋シートを浴槽Ａの中間位置にて停止させた場合、吸盤４を浴槽Ａまたは壁Ｃに設置吸着することにより固定係止状態となり、空間Ｂが出来るので、半開き蓋Ｄのテーブル部９に本や飲食料などを置いて読書や飲食をすることができる。
【００２４】
保温シート６は上側軟質製シート６ａと下側軟質性シート６ｂとで鏡面反射シートや発泡材等の中間材６ｃを挟んで圧着接合している。
【００２５】
さらに、前記保温シート６にはテーブル部９のテーブル本体９ａの軸方向に等間隔で複数本の補強棒７が互いに平行に併設されて浴槽Ａ上でたるまないようにしている。前記補強棒７の保温シート６への取り付けは、前記中間材６ｃとともに保温シート６の上側軟質製シート６ａと下側軟質製シート６ｂとに介在させてもよい。この場合、補強棒７の形状は多角錐や平板または円錐の形状で任意に選択すればよい。
【００２６】
テーブル付き巻き取り式風呂蓋シートの巻き取り構造としては巻き取り棒２の内部に巻き戻し付勢力を付与するコイルスプリング装置と、前記装置の巻き取り棒に一端が固着されるとともに巻き取り棒２に巻回される保温シート６と、前記保温シート６の巻き出しを許す一方、上記スプリングロールの巻き戻し方向への付勢力に抗して巻き出した保温シート６の巻き戻しを阻止する一方向クラッチ機構（図示せず）とを設けて、保温シート６は巻き取り棒２に巻き取りやすく且つ、浴槽Ａのどの部分でも停止できる。これにより、収納ケース不要としケースがあることによる清掃の不便を解消する。
【００２７】
図１及び図３に示す如く巻き取り棒２はその両端を支持金具１で支持されている。前記支持金具１は浴槽Ａの上面または浴槽Ａの近傍に吸盤５を介して設置吸着する。
【００２８】
また、テーブル付き巻き取り式風呂蓋シートを開いて保温シート６の一端と巻き取り棒２においてそれぞれの鈎８とハトメ８ａとの嵌合を外すことにより、保温シート６が巻き取り棒２から脱離して保温シート６や巻き取り棒２を洗浄する。この場合、保温シート６の他端においても保温シート６とテーブル部９とを脱着できるようにそれぞれ同様な鈎１１とハトメ１１ａを設けて、テーブル部９を洗浄することができる。
【００２９】
また、入浴中のリラックス時にうたた寝をしても湯に沈み込まないようにするのに引き出し棒９ｂ上面の中間位置にくぼみをつけて顎乗せ位置としてもよい。（図示せず）
【図面の簡単な説明】
【００３０】
【図１】本発明テーブル付き巻き取り式風呂蓋シートの実施例を示す平面図である。
【図２】本発明テーブル付き巻き取り式風呂蓋シートを巻き取った状態を示す斜視図である。
【図３】本発明テーブル付き巻き取り式風呂蓋シートを浴槽に設置した斜視図である。
【図４】本発明テーブルの実施例を側面図である。
【図５】本発明保温シートをテーブルに取り付けた状態を示す側面図である。
【符号の説明】
【００３１】
１  支持金具
２  巻取り棒
３  ストリング
４  吸盤（巻き取り阻止部材）
５  設置吸盤
６  保温シート
６ａ  上側軟質製シート
６ｂ  下側軟質製シート
６ｃ  中間材
７  補強棒
８  鈎
８ａ  ハトメ
９  テーブル部
９ａ  テーブル本体
９ｂ  引き出し棒
９ｃ  スライド溝
９ｄ  切れ込み
１０  スライド溝蓋
１１  鉤
１１ａ  ハトメ  
【図１】
2007215815.tif 000003
【図２】
2007215815.tif 000004
【図３】
2007215815.tif 000005
【図４】
2007215815.tif 000006
【図５】
2007215815.tif 000007